(57)【要約】【課題】復帰時の漏れ確認時間の無駄な待ち時間をなくし、ガス通路の微小な漏れを検出することを目的とする。【解決手段】流れ検出部１と、異常判定部２と、弁駆動部３と、弁５と、復帰入力部７と、漏れ判定部４と、圧力入力部８と、遮断中判定部６とを備え、圧力入力部８の圧力値Ｆを取得して遮断中判定部６がガス通路の閉栓中に所定期間の圧力差からガス漏れの有無を判定して漏れがなければ許可信号Ｈを出力し、漏れ判定部４が許可信号Ｈを受け取ると即時に弁開閉信号Ｇを出力するようなるので、無駄な待ち時間をなくし、ガス通路の微小な漏れを検出することができる。【選択図】図１
2007113632.tif 000002
【特許請求の範囲】
【請求項１】
ガス通路内を通過するガスに対応して流速および／または流量信号を出力する流れ検出部と、前記流れ検出部からの信号を受け取ると予め保持している判定値と比較し異常であれば弁閉信号を出力する異常判定部と、前記弁閉信号または漏れ判定部の弁制御信号を受け取ると弁開閉信号を出力する弁駆動部と、前記弁駆動信号を受け取るとガス通路を開栓または閉栓する弁と、外部より復帰入力を受け付けると復帰信号を出力する復帰入力部と、前記復帰信号を受け取ると圧力入力部の圧力値を任意の間隔で、任意の回数入力し、圧力の差分が予め保持している許容値以下であるときに、前記弁制御信号により前記弁を開栓させるか、遮断中判定部の許可信号を受け取ると圧力の判定を行わずに前記弁制御信号により前記弁を開栓させる漏れ判定部と、前記弁駆動部の弁開閉信号を受け取り、ガス通路が閉栓中であると圧力入力部の圧力値を任意の間隔で任意の回数入力し、圧力の差分が予め保持している許容値以下であるときに許可信号を出力する遮断中判定部とを備え、前記遮断中判定部が前記復帰入力部で外部からの復帰入力を受け取る前にガス通路のガス漏れを確認し、前記復帰入力部の復帰入力を受け付けると直ぐにガス通路を開栓することを特徴としたガス遮断装置。
【請求項２】
弁駆動部からの弁開閉信号を受け取りガス通路が閉栓中であると任意の間隔で定期信号を出力する定期信号部を備え、遮断中判定部が前記定期信号を受け取る都度前記許可信号の出力の有無を判定しなおすことを特徴とした請求項１記載のガス遮断装置。
【請求項３】
遮断中判定部の許可信号を受け取り、その後前記許可信号が出力されなくなると短期信号を出力し、復帰入力部の復帰信号を受け取ると前記短期信号の出力を停止する短期信号部を備え、前記短期信号部の短期信号があれば遮断中判定部でガス通路のガス漏れを閉栓中にすでに一度確認しており、その後前記圧力値が遮断中圧力低下量以下となり前記遮断中判定部が判定できなくなったあとでも、短期間でガス通路のガス漏れの再確認をしてガス通路を開栓することを特徴とした請求項１載のガス遮断装置。
【請求項４】
遮断中判定部からの不許可信号を受け取ると圧力入力部の圧力値を監視し所定の圧力以上の圧力値を検出すると再確認信号を出力する圧力上昇検知部を備え、ガス通路が閉栓されている状態で圧力が上昇するときにはガス通路がガス器具側で開放されていないとして再度閉栓中にガス漏れを判定することを特徴とした請求項１記載のガス遮断装置。
【請求項５】
遮断中判定部からの通信許可信号を受け取ると外部に通報する外部通信部を備えた請求項１記載のガス遮断装置。
【発明の詳細な説明】
【技術分野】
【０００１】
本発明は、ガス漏れの確認を合理的に行ったガス遮断装置に関するものである。
【背景技術】
【０００２】
従来、この種のガス遮断装置を図６を参照して説明する。
【０００３】
図６において、ガス通路内を通過するガスの流速度および／または流量などの流れ信号ａを出力する流れ検出部３１と、この流れ検出部３１の流れ信号ａを受け取ると予め保持している判定値と比較し、異常であれば弁閉信号ｂを出力する異常判定部３２と、前記異常判定部３２の弁閉信号ｂまたは漏れ検出部３３の弁制御信号ｇを受け取ると弁駆動信号ｃを出力する弁駆動部３４と、弁駆動信号ｃを受け取るとガス通路を開栓または閉栓する弁３５と、外部より復帰入力を受け付けると復帰信号ｅを出力する復帰入力部３６とから構成されている。
【０００４】
漏れ検出部３３は、復帰信号ｅを受け取り、圧力検出部３７の圧力情報ｆがあればガス通路を開栓し、圧力情報ｆがなければガス通路を開栓後に流れ検出部３１の検出結果を所定期間監視し、流れ信号ａがあればガス通路を閉栓し、流れ信号ａがなければ開栓状態を保持するように弁制御信号ｇにより弁３５を制御するものである。
【０００５】
圧力検出部３７はガス通路内の圧力を測定し、所定の圧力以上あれば圧力情報ｆを出力するものである（例えば、特許文献１参照）。
【特許文献１】特開昭６２−２０９３００号公報
【発明の開示】
【発明が解決しようとする課題】
【０００６】
しかしながら、前記従来の構成では、圧力検出部３７として、所定の圧力以上（例えば、５０ｍｍ水柱）あるかどうかを判定できる圧力スイッチを使用していること、および復帰入力がされた直前の圧力で判断しているため、所定の圧力以上範囲のもとガス通路にガス漏れがあっても検出できなかった。しかも、漏れ検出部３３で複数回圧力計測して圧力差による漏れ判定をすることも不可能である。このため微小なガス通路の漏れを判定できずに開栓するという課題を有していた。
【０００７】
また、復帰入力後にガス漏れの確認（通常数分）をしていたために、その確認に要する時間中はガスが使えずに待たされるという課題を有していた。
【０００８】
本発明は、前記従来の課題を解決するもので、ガス通路の微小な漏れを検出するとともに、復帰時の待ち時間をなくして操作性を向上させたガス遮断装置を提供することを目的とする。
【課題を解決するための手段】
【０００９】
前記従来の課題を解決するために、本発明のガス遮断装置は、圧力入力部の圧力値を取得して遮断中判定部がガス通路の閉栓中に所定期間の圧力差からガス漏れの有無を判定して漏れがなければ許可信号を出力し、漏れ判定部が即時に弁開閉信号を出力するようにしたものである。
【００１０】
これによってガス遮断装置で復帰入力時点での圧力だけではなくガス通路閉栓中での圧力を判定することが可能となるとともに、所定時間の圧力差から微小なガス漏れの有無を
検知することが可能となる。また復帰時に漏れ判定するための待ち時間も事前にガス通路閉栓中にガス漏れ確認を実施することでなくすことができる。
【発明の効果】
【００１１】
本発明のガス遮断装置は、従来復帰入力後に実施していたガス通路の漏れ確認を遮断中に実施することが可能となり、所定期間の圧力差からガス漏れの有無を判定して漏れがなければ復帰入力時に即開栓して漏れ判定に要した待ち時間をなくすことが可能となる。また遮断中の時間が長ければより微小なガス漏れを検出することができるようになることで、作業性の向上と、微小なガス漏れを防止することができる。
【発明を実施するための最良の形態】
【００１２】
第１の発明は、ガス通路内を通過するガスに対応して流速および／または流量信号を出力する流れ検出部と、前記流れ検出部からの信号を受け取ると予め保持している判定値と比較し異常であれば弁閉信号を出力する異常判定部と、前記弁閉信号または漏れ判定部の弁制御信号を受け取ると弁開閉信号を出力する弁駆動部と、前記弁駆動信号を受け取るとガス通路を開栓または閉栓する弁と、外部より復帰入力を受け付けると復帰信号を出力する復帰入力部と、前記復帰信号を受け取ると圧力入力部の圧力値を任意の間隔で、任意の回数入力し、圧力の差分が予め保持している許容値以下であるときに、前記弁制御信号により前記弁を開栓させるか、遮断中判定部の許可信号を受け取ると圧力の判定を行わずに前記弁制御信号により前記弁を開栓させる漏れ判定部と、前記弁駆動部の弁開閉信号を受け取り、ガス通路が閉栓中であると圧力入力部の圧力値を任意の間隔で任意の回数入力し、圧力の差分が予め保持している許容値以下であるときに許可信号を出力する遮断中判定部とを備え、前記遮断中判定部が前記復帰入力部で外部からの復帰入力を受け取る前にガス通路のガス漏れを確認し、前記復帰入力部の復帰入力を受け付けると直ぐにガス通路を開栓するようにしたものである
第２の発明は、弁駆動部からの弁開閉信号を受け取りガス通路が閉栓中であると任意の間隔で定期信号を出力する定期信号部と、特に、第１発明の遮断中判定部を、前記弁駆動部の前記弁開閉信号を受け取りガス通路が閉栓中であると圧力入力部の圧力値を任意の間隔で任意の回数入力し圧力の差分が予め保持している許容量以下であるときに許可信号を出力し、前記定期信号部の前記定期信号を受け取ると前記圧力入力部の前記圧力値を取得し予め保持している遮断中圧力低下量以下であるときに前記許可信号の出力を停止するようにした前記遮断中判定部により、前記遮断中判定部が前記定期信号を受け取る都度前記許可信号の出力の有無を判定しなおすことができる。
【００１３】
第３の発明は、遮断中判定部の許可信号を受け取り、その後前記許可信号が出力されなくなると短期信号を出力し、復帰入力部の復帰信号を受け取ると前記短期信号の出力を停止する短期信号部と、特に、第１発明の漏れ判定部を、前記復帰入力部の前記復帰信号を受け取ると圧力入力部の圧力値を任意の間隔で任意の回数入力し圧力の差分が予め保持している許容量以下であるときに弁制御信号により弁を開栓させるか、前記遮断中判定部の前記許可信号を受け取ると圧力の判定を行わずに前記弁制御信号により前記弁を開栓させる、または前記短期信号部の前記短期信号を受け取ると前記弁制御信号で前記弁を短時間開閉栓してガスを供給しその後前記圧力値を任意の間隔と任意の回数入力を短縮して判定するようにした前記漏れ判定部により、前記短期信号部の前記短期信号があれば前記遮断中判定部でガス通路のガス漏れを閉栓中にすでに一度確認しており、その後前記圧力値が遮断中圧力低下量以下となり前記遮断中判定部が判定できなくなったあとでも、短期間でガス通路のガス漏れの再確認をしてガス通路を開栓することができる。
【００１４】
第４の発明は、遮断中判定部からの不許可信号を受け取ると圧力入力部の圧力値を監視し所定の圧力以上の前記圧力値を検出すると再確認信号を出力する圧力上昇検知部と、特に、特に、第１の発明の前記遮断中判定部を、前記圧力上昇検知部の前記再確認信号を受
け取るか弁駆動部の弁開閉信号を受け取りガス通路が閉栓中であると前記圧力入力部の前記圧力値を任意の間隔で任意の回数入力し圧力の差分が予め保持している許容量以下であるときに許可信号を出力し、前記許容量を超えるときに前記不許可信号を出力するようにした前記遮断中判定部により、ガス通路が閉栓されている状態で圧力が上昇するときにはガス通路がガス器具側で開放されていないため再度閉栓中にガス漏れを判定することができる。
【００１５】
第５の発明は、遮断中判定部からの通信許可信号を受け取ると外部に通報する外部通信部と、特に、第１の発明の前記遮断中判定部を、弁駆動部の弁開閉信号を受け取りガス通路が閉栓中であると圧力入力部の圧力値を任意の間隔で任意の回数入力し圧力の差分が予め保持している許容量以下であるときに許可信号と前記通信許可信号を出力するようにした前記遮断中判定部により、ガス通路の閉栓中に高精度にガス通路の漏れ判定を実施したことをガス遮断装置を監視しているセンタに通報することできる。
【００１６】
以下、本発明の実施の形態について、図面を参照しながら説明する。なお、この実施の形態によって本発明が限定されるものではない。
【００１７】
（実施の形態１）
図１において、流れ検出部１はガス通路内を通過するガス流速および／または流量を検出するものである。
【００１８】
この流れ検出部１は、例えば、永久磁石がガス通路内を通過する流量の一定量毎に１回転分の円運動を行い、その円運動の軌跡上にリードスイッチを配置してガス流量を検知したり、あるいはガス通路内に対向した超音波センサを取り付け、超音波の伝播時間の違いからガス流速度、または流量を検知したり、ガスが経路を流れるときに発生する振動からガス流速または流量を検知するようにしており、流れ信号Ａを出力する。
【００１９】
この実施の形態では、検知対象を流量に設定した。流量は、検知した流速にガス通路断面積、および補正係数を乗じたものであるから、必要があれば流速に設定することも充分考えられるであろう。
【００２０】
異常判定部２は流れ検出部１の流量信号Ａを受け取ると、予め保持している判定値（例えば、ガス遮断装置が許容している最大通過ガス流量でもよいし、少量のガス流量が継続して流れ続けて許容時間を超えた場合でもよい）と比較し異常であれば弁閉信号Ｂを出力する。
【００２１】
弁駆動部３は前記弁閉信号Ｂ、または弁制御信号Ｇを受け取ると弁駆動信号Ｃと弁開閉信号Ｄとを出力する。そして、弁駆動信号Ｃにより弁５が開栓または閉栓され、弁開閉信号Ｄは遮断中判定部６へ入力される。
【００２２】
復帰入力部７は外部より復帰入力（例えば、ボタンによる入力でも良いし、リードスイッチのような非接触のものでも良いし、通信電文による入力でも同等の効果が得られる）を受け付けると復帰信号Ｅを出力する。
【００２３】
漏れ判定部４は復帰入力部７の復帰信号Ｅを受け取ると圧力入力部８の圧力値Ｆを任意の間隔（例えば、１秒間隔の短間隔で実施しても良いし、ガス通路閉栓直後の数十秒後に確認し始める待機期間を設けても良いし、あるいはガス通路閉栓後から１時間以上毎の長間隔で確認しても良いし、これらを組み合わせても良い）で任意の回数（例えば、１００回でも良い）入力し、圧力の差分が予め保持している許容量以下（例えば、１０ｍｍ水柱以下）であるときに弁制御信号Ｇにより弁５を開栓させるか、遮断中判定部６の許可信号
Ｈを受け取ると圧力の判定を行わずに直ちに弁制御信号Ｇにより弁５を開栓させる。
【００２４】
なお、最初に取得した圧力値Ｆが例えば５０ｍｍ水柱以下であれば、弁制御信号Ｇにより弁５を開閉させ、ガス通路にガスを供給してからガス漏れの確認、すなわち圧力値Ｆを任意の間隔で任意の回数入力し、圧力の差分が予め保持している許容量以下であるかの確認を実施してもよい。
【００２５】
圧力入力部８は圧力を測定し、圧力値Ｆ（例えば、１ｍｍ水柱）を出力する。
【００２６】
遮断中判定部６は弁駆動部３の弁開閉信号Ｄを受け取り、ガス通路が閉栓中であると圧力入力部８の圧力値Ｆを任意の間隔（例えば、１秒間隔の短間隔で実施しても良いし、ガス通路閉栓直後の数十秒後に確認し始める待機期間を設けても良いし、あるいはガス通路閉栓後から１時間以上毎の長間隔で確認しても良いし、これらを組み合わせても良い。また漏れ判定部４の値と異なる設定をしてもよい）で任意の回数（例えば、１００回でも良い。また漏れ判定部４の値と異なる設定をしてもよい）入力し、圧力の差分が予め保持している許容値以下（例えば、１０ｍｍ水柱でも良い。また漏れ判定部１６の値と異なる設定をしてもよい。遮断時間が長期間であれば許容量を小さくし、取得間隔を長くすればより微小なガス漏れを検出することができる）であるときに許可信号Ｈを出力する。
【００２７】
以上のように構成されたガス遮断装置について、以下その動作、作用を説明する。
【００２８】
まず、弁開閉信号Ｄを受け取りガス通路が閉栓中であると圧力値Ｆを取得し、ガス通路のガス漏れを確認し、漏れがなければ許可信号Ｈを出力する。許可信号Ｈがあれば復帰信号Ｅを入力した時点でガス通路を即時に開栓することとなる。
【００２９】
以上のように、本実施の形態においては遮断中判定部６が復帰入力部７で外部からの復帰入力を受け取る前に、ガス通路のガス漏れを確認し、復帰入力部７の復帰入力を受け付けると直ぐにガス通路を開栓することができ、またガス通路の微小なガス漏れを確認することができる。
【００３０】
（実施の形態２）
図２は、本発明の実施の形態２を示し、図１と同一の作用を発揮する構成については図１と同符号を付し、具体的な説明は実施の形態１のものを援用する。
【００３１】
図２において、定期信号部９は弁駆動部３からの弁開閉信号Ｄを受け取りガス通路が閉栓中であると任意の間隔（例えば、１日毎）で定期信号Ｊを出力する。
【００３２】
遮断中判定部６は弁駆動部３の弁開閉信号Ｄを受け取り、ガス通路が閉栓中であると圧力入力部８の圧力値Ｆを任意の間隔で、任意の回数入力し、圧力の差分が予め保持している許容値以下であるときに許可信号Ｈを出力し、定期信号部１９の定期信号Ｊを受け取ると圧力入力部８の圧力値Ｆを取得し予め保持している遮断中圧力低下値以下（例えば、最初に取得した値との差分でも良いし、任意の圧力値でもよい）であるときに許可信号Ｈの出力を停止する。
【００３３】
以上のように構成されたガス遮断装置について、以下その動作、作用を説明する。
まず、弁開閉信号Ｄを受け取りガス通路が閉栓中であると任意の間隔で定期信号Ｊを出力し、定期信号Ｊ毎に圧力値Ｆを取得し予め保持している遮断中圧力低下量以下かどうかを判定する。
【００３４】
したがって、本実施の形態においては、遮断中判定部６が定期信号Ｊを受け取る都度許
可信号Ｈの出力の有無を判定しなおすことで、圧力が充分にありガス漏れの有無を遮断中判定部６が判定しているときには許可信号Ｈを出力して復帰信号Ｅが出力されると即時にガス通路を開栓し、圧力が下がりすぎて遮断中判定部６では判定が困難になった場合に許可信号Ｈの出力を停止することで、漏れ判定部４で弁制御信号Ｇにより弁５を開閉させガス通路にガスを供給してからガス漏れの確認をすることができる。
【００３５】
（実施の形態３）
図３は、本発明の実施の形態３を示し、図１と同一の作用を発揮する構成については図１と同符号を付し、具体的な説明は実施の形態１のものを援用する。
【００３６】
図３において、短期信号部１０は遮断中判定部６の許可信号Ｈを受け取り、その後許可信号Ｈが出力されなくなると短期信号Ｋを出力し、復帰入力部７の復帰信号Ｅを受け取ると短期信号Ｋの出力を停止する。
【００３７】
漏れ判定部４は復帰入力部７の復帰信号Ｅを受け取ると圧力入力部８の圧力値Ｆを任意の間隔で任意の回数入力し、圧力の差分が予め保持している許容値以下であるときに弁制御信号Ｇにより弁５を開栓させるか、遮断中判定部６の許可信号Ｈを受け取ると圧力の判定を行わずに弁制御信号Ｇにより弁５を開栓させる、または短期信号部１０の短期信号Ｋを受け取ると弁制御信号Ｇで弁５を短時間開閉栓してガスを供給し、その後圧力値を任意の間隔（例えば、１秒間隔の短間隔で実施しても良いし、ガス通路閉栓直の数十秒後に確認し始める待機期間を設けても良いし、あるいはガス通路閉栓後から１時間以上毎の長間隔で確認しても良いし、これらを組み合わせても良い。またガス供給の有無で間隔を変えても良い）と任意の回数（例えば、１００回でも良い。またガス供給の有無で間隔を変えても良い）入力を短縮して判定する。
以上のように構成されたガス遮断装置について、以下その動作、作用を説明する。
【００３８】
まず、許可信号Ｈを受け取り、その後許可信号Ｈが出力されなくなると短期信号Ｋを出力する。短期信号Ｋにより弁制御信号Ｇで弁５を短時間開閉栓してガスを供給しその後より短い任意の間隔とより少ない任意の回数で実施する。
【００３９】
以上のように、本実施の形態においては短期信号部１０の短期信号Ｋがあれば遮断中判定部６でガス通路のガス漏れを閉栓中にすでに一度確認しており、その後圧力値Ｆが遮断中圧力低下量以下となり遮断中判定部６が判定できなくなったあとでも、ガス通路のガス漏れの再確認を短縮して実施しガス通路を開栓することができる。
【００４０】
（実施の形態４）
図４は、本発明の実施の形態４を示し、図１と同一の作用を発揮する構成については図１と同符号を付し、具体的な説明は実施の形態１のものを援用する。
【００４１】
図４において、圧力上昇検知部１１は遮断中判定部６からの不許可信号Ｌを受け取ると圧力入力部８の圧力値Ｆを監視し、所定の圧力以上（例えば、１００ｍｍ水柱）の圧力値Ｆを検出すると再確認信号Ｍを出力する。
【００４２】
遮断中判定部６は圧力上昇検知部１１の再確認信号Ｍか、弁駆動部３の弁開閉信号Ｄを受け取り、ガス通路が閉栓中であると圧力入力部８の圧力値Ｆを任意の間隔で任意の回数入力し、圧力の差分が予め保持している許容値以下であるときに許可信号Ｈを出力し、許容量（例えば、１０ｍｍ水柱でも良い）を超えるときに不許可信号Ｌを出力する。
【００４３】
以上のように構成されたガス遮断装置について、以下その動作、作用を説明する。
【００４４】
まず、不許可信号Ｌを受け取ると圧力値Ｆを監視し所定の圧力以上であれば再確認信号Ｍを出力する。再確認信号Ｍを受け取ると圧力値Ｆを任意の間隔で任意の回数入力し、圧力の差分が予め保持している許容値以下であるときに許可信号Ｈを出力し、許容量を超えるときに不許可信号Ｌを出力する。
【００４５】
以上のように、本実施の形態においてはガス通路が閉栓されている状態で圧力が上昇するときにはガス通路がガス器具側で開放されていないため再度閉栓中にガス漏れを判定することが可能となる。繰り返し閉栓中にガス漏れを確認でき、復帰入力時に即時にガス通路を開栓することができる。
【００４６】
（実施の形態５）
図４は、本発明の実施の形態５を示し、図１と同一の作用を発揮する構成については図１と同符号を付し、具体的な説明は実施の形態１のものを援用する。
【００４７】
図５において、外部通信部１２は遮断中判定部６からの通信許可信号Ｎを受け取ると、外部（例えば、公共の通信回線を使用してガス遮断装置を監視しているセンタに通報しても良いし、インターネットを利用して通報しても同等の効果が得られる）に通報する。
【００４８】
遮断中判定部６は弁駆動部３の弁開閉信号Ｄを受け取り、ガス通路が閉栓中であると、圧力入力部８の圧力値Ｆを任意の間隔で任意の回数入力し圧力の差分が予め保持している許容値以下であるときに許可信号Ｈと通信許可信号Ｎを出力する。
【００４９】
以上のように構成されたガス遮断装置について、以下その動作、作用を説明する。
【００５０】
まず、弁開閉信号Ｄを受け取りガス通路が閉栓中であると圧力値Ｆを任意の間隔で任意の回数入力し圧力の差分が予め保持している許容量以下であるときに許可信号Ｈと通信許可信号Ｎを出力する。通信許可信号Ｎを受け取ると外部に通報する。
【００５１】
以上のように、本実施の形態においてはガス通路の閉栓中に高精度（閉栓時間が数時間となり長くなれば圧力の確認回数と確認期間が長く取れ微小なガス漏れを検出することが可能となるため）にガス通路の漏れ判定を実施したことをガス遮断装置を監視しているセンタに通報することができる。
【００５２】
このように、実施の形態１〜５おいて微小なガス漏れを検出することができ、ガス通路が閉栓中にガス漏れを事前に確認することで、復帰入力時に即開栓して漏れ判定に要した待ち時間をなくすことが可能となる。またガス通路の閉栓中の時間が長ければより微小なガス漏れを検出することができるようになることで、作業性の向上と、微小なガス漏れを防止することができる。
【産業上の利用可能性】
【００５３】
以上のように、本発明にかかるガス遮断装置は従来復帰入力後に実施していたガス通路の漏れ確認を遮断中に実施することが可能となり、所定期間の圧力差からガス漏れの有無を判定して漏れがなければ復帰入力時に即開栓して漏れ判定に要した待ち時間をなくすことが可能となる。また遮断中の時間が長ければより微小なガス漏れを検出することができるようになることで、作業性の向上と、微小なガス漏れを防止することが可能となるので、ガスを水や電気に置き換えれば、水道メータ等の用途にも適用できる。
【図面の簡単な説明】
【００５４】
【図１】本発明の実施の形態１におけるガス遮断装置の機能ブロック図
【図２】本発明の実施の形態２におけるガス遮断装置の機能ブロック図
【図３】本発明の実施の形態３におけるガス遮断装置の機能ブロック図
【図４】本発明の実施の形態４におけるガス遮断装置の機能ブロック図
【図５】本発明の実施の形態５におけるガス遮断装置の機能ブロック図
【図６】従来のガス遮断装置の機能ブロック図
【符号の説明】
【００５５】
１  流れ検出部
２  異常判定部
３  弁駆動部
４  漏れ判定部
５  弁
６  遮断中判定部
７  復帰入力部
８  圧力入力部
９  定期信号部
１０  短期信号部
１１  圧力上昇検知部
１２  外部通信部
【図１】
2007113632.tif 000003
【図２】
2007113632.tif 000004
【図３】
2007113632.tif 000005
【図４】
2007113632.tif 000006
【図５】
2007113632.tif 000007
【図６】
2007113632.tif 000008